(57)【要約】【課題】フロン或いはフロン類似物質を含有する合成樹脂発泡体を、フロン或いはフロン類似物質を大気中に放出させることなく確実に分解処理すると共に、該合成樹脂発泡体が有する熱エネルギーを資源として有効に利用し、かつ油泥のハンドリング性を改善して油泥の有効利用をも促進することができる処理方法を提案すること。【解決手段】フロン或いはフロン類似物質を含有する合成樹脂発泡体Ｗを破砕機６によって破砕し、該破砕した合成樹脂発泡体Ｗｃと油泥Ｏとを混合機８によって混合して固体燃料ＷＯを製造し、該固体燃料ＷＯの製造・供給時に発生するフロン或いはフロン類似物質を破砕機６及び混合機８等から吸引して該吸引ガスをセメント焼成用の燃焼空気として焼成炉１に導入すると共に、製造した固体燃料ＷＯをセメント焼成用の補助燃料として焼成炉１に投入するフロン或いはフロン類似物質を含有する合成樹脂発泡体の処理方法とした。【選択図】        図１
2010089978.tif 000002
【特許請求の範囲】
【請求項１】
フロン或いはフロン類似物質を含有する合成樹脂発泡体を破砕し、該破砕した合成樹脂発泡体と油泥とを混合して固体燃料を製造し、該固体燃料の製造・供給時に発生するフロン或いはフロン類似物質を吸引して該吸引ガスをセメント焼成用の燃焼空気として焼成炉に導入すると共に、製造した固体燃料をセメント焼成用の補助燃料として焼成炉に投入することを特徴とする、フロン或いはフロン類似物質を含有する合成樹脂発泡体の処理方法。
【請求項２】
上記フロン或いはフロン類似物質を含有する合成樹脂発泡体の破砕が、平均粒径０．１ｍｍ以上４０ｍｍ以下で行われることを特徴とする、請求項１に記載のフロン或いはフロン類似物質を含有する合成樹脂発泡体の処理方法。
【請求項３】
上記破砕した合成樹脂発泡体と油泥との混合が、合成樹脂発泡体１００重量部に対し、油泥５０〜４００重量部で行われることを特徴とする、請求項１又は２に記載のフロン或いはフロン類似物質を含有する合成樹脂発泡体の処理方法。
【請求項４】
上記フロン或いはフロン類似物質を含有する合成樹脂発泡体が、建材用断熱材であることを特徴とする、請求項１〜３のいずれかに記載のフロン或いはフロン類似物質を含有する合成樹脂発泡体の処理方法。
【請求項５】
上記破砕した合成樹脂発泡体と混合する油泥が、オイルスラッジ、廃油再生残渣であることを特徴とする、請求項１〜４のいずれかに記載のフロン或いはフロン類似物質を含有する合成樹脂発泡体の処理方法。
【発明の詳細な説明】
【技術分野】
【０００１】
本発明は、フロン或いはフロン類似物質を含有する合成樹脂発泡体の処理方法に関し、詳しくは、発泡剤としてフロン或いはフロン類似物質を使用した、冷蔵庫などの家電機器の断熱材或いは建材用断熱材として使用されていたウレタンフォーム、スチレンフォーム等の合成樹脂発泡体の処理方法に関するものである。
【背景技術】
【０００２】
従来より、冷蔵庫などの家電機器の断熱材或いは建材用断熱材としては、ウレタンフォーム、スチレンフォーム等の合成樹脂発泡体が主に用いられてきた。特に、ウレタン樹脂は現場発泡成形ができるため広く用いられてきた。これらは独立気泡体を構成しているものが多く、気泡を形成する発泡剤として、発泡適性が良く熱伝導率の低いフロンが用いられ、優れた断熱発泡体が構成されてきた。
【０００３】
しかし、フロンは、オゾン層破壊や地球温暖化などの地球環境問題によって、その生産が１９９６年に全廃されたために、代替フロン発泡剤の検討が進められている。代替フロン発泡剤としては、ＨＣＦＣ、ＨＦＣなどのフロン類似物質が使用されているが、ＨＣＦＣについては依然としてオゾン層破壊等の可能性があり、２０２０年までに原則的生産全廃が決まっている。また、ＨＦＣはオゾン層の破壊の危険はないものの、地球温暖化係数が１４０から１１７００（二酸化炭素＝１）と大きく、その排出抑制が重要な課題となっている。
【０００４】
ここで、オゾン層破壊や地球温暖化を防ぐためには、フロンやフロン類似物質の生産を中止するだけでは不十分で、これまでに生産され、使用されてきた大量のフロン或いはフロン類似物質を含有する合成樹脂発泡体の無害化のための処理が不可欠である。すなわち、フロンやフロン類似物質を発泡剤として含む合成樹脂発泡体をそのまま埋め立て処分した場合には、経時的にフロンやフロン類似物質が大気中に放出され、オゾン層破壊や地球温暖化を招くこととなる。そこで、フロンやフロン類似物質を発泡剤として含む合成樹脂発泡体の廃棄物を完全に分解する技術や制度化が検討されているところである。
【０００５】
これらの合成樹脂発泡体に含有されるフロン等の処理に関しては、いくつかの方法が提案されている。
例えば、特許文献１には、合成樹脂発泡体から発泡剤を凝縮して回収する技術が開示されている。また、特許文献２には、発泡ウレタン樹脂中に含まれるフロンの回収法として、発泡ウレタン樹脂を乾留によってウレタンから分離させる方法が開示されている。しかし、これらの技術は、あくまでフロンの回収法に関するもので、回収したフロンの分解処理法については何ら示されていない。また、完全にフロンを合成樹脂発泡体から分離・回収するためにはかなりの時間とエネルギーを要し、効率が悪いと言う課題もあった。
【０００６】
また、フロンの分解処理法については、例えば、特許文献３に、プラズマ放電による分解の技術が開示されており、また、特許文献４には、触媒法による分解の技術が開示されている。しかし、これらの技術は、あくまで回収された後のフロンの分解法に関するもので、固体廃棄物、すなわち合成樹脂発泡体からのフロンの分離をも含めた処理法については示されていなかった。従って、これら従来技術の単なる組合せで、廃棄物に含有されるフロンの分解処理を行なうと、フロンの回収に要するエネルギーが必要になり、処理費が嵩むと言う課題があった。
【０００７】
一方、特許文献５には、発泡ウレタンからのフロンの回収、及び回収したフロンの破壊処理システムが開示されている。かかるフロンの破壊処理システムは、発泡ウレタンを含有する断熱材を破砕機中で破砕し、その時に発生したフロンガス及び／又は可燃性ガスを空気と一緒に吸引し、該フロンガス及び／又は可燃性ガスと空気とを、炭化水素化合物を少なくとも１０重量％以上含み且つ排ガスの温度が８５０℃〜１０００℃である焼却炉に送り込むことで、該フロンガス及び可燃性ガスを破壊・燃焼処理するものである。
【０００８】
【特許文献１】特開平３−５００８５７号公報
【特許文献２】特開平７−１６６３５２号公報
【特許文献３】特開平４−２７９１７９号公報
【特許文献４】特開平４−３１３３４４号公報
【特許文献５】特開２００３−３０２０３１号公報
【発明の開示】
【発明が解決しようとする課題】
【０００９】
しかしながら、上記特許文献５に開示されたシステムにあっては、破砕によってフロンを分離するものであるため、かなりの粒径まで発泡ウレタンを破砕しなければならず、その破砕コストは高騰する。また、微粉砕されたウレタン粉は粉塵爆発の危険性が高い上、発泡ウレタンに可燃性ガスが用いられている場合は、更に爆発の危険性が高くなる。さらに、フロン或いはフロン類似物質には沸点が常温より低いものがあり、単に破砕しただけでは発泡ウレタン中に存在するフロンの全量を分離することは不可能で、破砕機によって破砕した後の少なからずフロンが残存する発泡ウレタンの処理については、該特許文献５には何ら開示されておらず、該破砕した後の発泡ウレタンの処理が課題となる。
【００１０】
一方、オイルスラッジ、廃油再生残渣等の油泥は、高いエネルギーを有するため、産業廃棄物として焼却処分または埋め立て処分せずに、燃料として有効利用することが期待されているが、該油泥は、高い粘稠性を有しているものや、常温で流動性がないものや、固形分が沈降分離し固着するものなどがあるため、管路を介した輸送時等におけるハンドリング性が悪く、燃料としての取り扱いが困難であると言う課題を有していた。
【００１１】
本発明は、上述した背景技術が有する種々の課題に鑑みて成されたものであって、その目的は、フロン或いはフロン類似物質を含有する合成樹脂発泡体を、フロン或いはフロン類似物質を大気中に放出させることなく確実に分解処理すると共に、該合成樹脂発泡体が有する熱エネルギーを資源として有効に利用し、かつ油泥のハンドリング性を改善して油泥の有効利用をも促進することができる、フロン或いはフロン類似物質を含有する合成樹脂発泡体の処理方法を提案することにある。
【課題を解決するための手段】
【００１２】
上記した目的を達成するため、本発明は、次の〔１〕〜〔５〕のフロン或いはフロン類似物質を含有する合成樹脂発泡体の処理方法とした。
〔１〕フロン或いはフロン類似物質を含有する合成樹脂発泡体を破砕し、該破砕した合成樹脂発泡体と油泥とを混合して固体燃料を製造し、該固体燃料の製造・供給時に発生するフロン或いはフロン類似物質を吸引して該吸引ガスをセメント焼成用の燃焼空気として焼成炉に導入すると共に、製造した固体燃料をセメント焼成用の補助燃料として焼成炉に投入することを特徴とする、フロン或いはフロン類似物質を含有する合成樹脂発泡体の処理方法。
〔２〕上記フロン或いはフロン類似物質を含有する合成樹脂発泡体の破砕が、平均粒径０．１ｍｍ以上４０ｍｍ以下で行われることを特徴とする、上記〔１〕に記載のフロン或いはフロン類似物質を含有する合成樹脂発泡体の処理方法。
〔３〕上記破砕した合成樹脂発泡体と油泥との混合が、合成樹脂発泡体１００重量部に対し、油泥５０〜４００重量部で行われることを特徴とする、上記〔１〕又は〔２〕に記載のフロン或いはフロン類似物質を含有する合成樹脂発泡体の処理方法。
〔４〕上記フロン或いはフロン類似物質を含有する合成樹脂発泡体が、建材用断熱材であることを特徴とする、上記〔１〕〜〔３〕のいずれかに記載のフロン或いはフロン類似物質を含有する合成樹脂発泡体の処理方法。
〔５〕上記破砕した合成樹脂発泡体と混合する油泥が、オイルスラッジ、廃油再生残渣であることを特徴とする、上記〔１〕〜〔４〕のいずれかに記載のフロン或いはフロン類似物質を含有する合成樹脂発泡体の処理方法。
【発明の効果】
【００１３】
上記した本発明によれば、フロン或いはフロン類似物質を含有する合成樹脂発泡体を破砕して油泥と混合することにより固体燃料とし、該固体燃料をセメント焼成用の補助燃料として焼成炉に投入するものであるため、合成樹脂発泡体中に存在するフロン或いはフロン類似物質は１５００℃以上の高温に曝され確実に分解処理されると共に、合成樹脂発泡体及び油泥は燃焼してその熱エネルギーはセメント焼成に利用される。よって、本発明によれば、従来においてはその大部分がそのまま或いは減容化されて埋め立て処分されていたフロン或いはフロン類似物質を含有する合成樹脂発泡体を、既存の設備を利用して資源として有効にかつ大量に使用することが可能となり、フロンやフロン類似物質が大気中に放出されてオゾン層破壊や地球温暖化を招くことを効果的に防止することができると共に、破砕した合成樹脂性発泡体と混合することにより油泥のハンドリング性が大幅に改善でき、燃料としての取り扱いが困難であった油泥の有効利用をも促進することができるため、化石燃料の使用量を大幅に削減できる効果がある。
【００１４】
また、本発明によれば、上記固体燃料の製造・供給時、すなわちフロン或いはフロン類似物質を含有する合成樹脂発泡体の破砕時、破砕した合成樹脂発泡体の油泥との混合時等の製造時、及び製造した固体燃料の貯留時、搬送時等の供給時に発生するフロン或いはフロン類似物質を吸引し、該吸引ガスをセメント焼成用の燃焼空気として焼成炉に導入するものであるため、固体燃料の製造・供給時に発生したフロン或いはフロン類似物質は焼成炉において１５００℃以上の高温に曝されることとなり、確実に分解処理される。そのため、この固体燃料の製造・供給時においても、フロン或いはフロン類似物質の大気中への放出が防止される。また、上記合成樹脂発泡体の破砕工程は、油泥との混合が可能であると共に焼成炉に補助燃料として投入し得る程度のものとする粗破砕でよく、破砕コストが高騰することもない。
【発明を実施するための最良の形態】
【００１５】
以下、上記した本発明に係るフロン或いはフロン類似物質を含有する合成樹脂発泡体の処理方法を、図面を示して詳細に説明する。
ここで、図１は、本発明に係るフロン或いはフロン類似物質を含有する合成樹脂発泡体の処理方法を実施するセメント焼成設備の一実施の形態を概念的に示した図であって、該図において、１はセメント原料を焼成するロータリーキルン、２はロータリーキルン１の窯前に設けられたバーナー、３は同じくロータリーキルン１の窯前に設けられたフード、４は前記フード３の下方に設けられロータリーキルン１にて生成されたセメントクリンカを搬送しつつ空冷するクリンカクーラ、５ａ，５ｂ，５ｃ・・は冷却空気を前記クリンカクーラ４内に導入する吸気ブロアー、６はフロン或いはフロン類似物質を含有する合成樹脂発泡体Ｗを破砕する破砕機、７は合成樹脂発泡体の破砕物Ｗｃを混合機へ供給する供給装置、８は供給装置７から供給された破砕物Ｗｃと油泥Ｏとを混合する混合機、９は製造させた固体燃料ＷＯを移送し、貯留し、計量し、燃料搬送配管に供給する一連の装置からなる供給設備、１０は前記供給設備９から定量的に切り出された固体燃料ＷＯをバーナー２に補助燃料として供給する搬送ブロアー、１１は破砕機６、供給装置７等から吸引したガスを除塵する集塵装置である。
【００１６】
本発明は、フロン或いはフロン類似物質を含有する合成樹脂発泡体Ｗを破砕機６によって破砕し、該破砕した合成樹脂発泡体Ｗｃと油泥Ｏとを混合機８によって混合して固体燃料ＷＯを製造することとし、該固体燃料ＷＯの製造・供給時、すなわち上記破砕機６による破砕時、上記混合機８による混合時等の製造時、及び該固体燃料ＷＯの貯留時、搬送時等の供給時に合成樹脂発泡体Ｗから発生するフロン或いはフロン類似物質を吸引し、該吸引ガスをセメント焼成用の燃焼空気としてロータリーキルン１に導入すると共に、製造した固体燃料ＷＯをセメント焼成用の補助燃料としてロータリーキルン１に投入するものである。
【００１７】
ここで、本発明において言うフロンを例示すると、ＣＦＣ１１（ＣＣｌ3Ｆ）、ＣＦＣ１２（ＣＣｌ2Ｆ2）、ＣＦＣ１１３（ＣＣｌ2Ｆ−ＣＣｌＦ2）、ＣＦＣ１１４（ＣＣｌＦ2−ＣＣｌＦ2）、ＣＦＣ１１５（ＣＣｌＦ2−ＣＦ3）がある。また、本発明において言うフロン類似物質とは、ハロン（１２１１：ＣＦ2ＣｌＢｒ、１３０１：ＣＦ3Ｂｒ、２４０２：ＣＦ2ＢｒＣＦ2Ｂｒ）、代替フロンＨＣＦＣ（２２：ＣＨＦ2Ｃｌ、１２３：ＣＨＣｌ2ＣＦ3、１４１ｂ：ＣＨ3ＣＣｌ2Ｆ）、代替フロンＨＦＣ（１３４ａ：ＣＨ2ＦＣＦ3）、ハロゲン含有有機溶剤（四塩化炭素、１, １, １−トリクロロエタン、トリクロロエチレン等）等の、フロンと同様に地球環境への影響が懸念される発泡剤として用いられる物質を言う。
【００１８】
本発明においては、上記フロン或いはフロン類似物質を発泡剤として用いた合成樹脂発
泡体Ｗ、例えばウレタンフォーム、スチレンフォーム等の廃棄物が対象となる。特に、建
材用断熱材として用いられたフロン或いはフロン類似物質を含有する合成樹脂発泡体は、
今後、建築物の解体時等において大量に発生することが予想されると共に、合成樹脂発泡
体が金属等の部材に内包されている家電製品と異なり、合成樹脂発泡体単体や、畳の一部
材として排出されるため、破砕しやすく、破砕物が全てセメント焼成用補助燃料として利
用できるため、本発明において好適に用いられる。
【００１９】
上記フロン或いはフロン類似物質を含有する合成樹脂発泡体Ｗを破砕する破砕機６としては、例えば、カッターミル、シュレッダー、ディスインテグレータ、エッジライナー、ピンミル、スクリーンミル等を用いることができ、これらの装置を単独で用いてもよく、また多段に構成し、例えば、先ずカッターミルで合成樹脂発泡体Ｗを粗砕した後、スクリーンミルで目標粒径まで破砕する構成としてもよい。
【００２０】
上記破砕機６による合成樹脂発泡体Ｗの破砕粒径は、該破砕物Ｗｃを、後述する油泥Ｏと良好に混合できると共に、その混合物である固体燃料ＷＯをセメント焼成用のロータリーキルン１のバーナー２より補助燃料として容易に供給し得る程度の粒径に破砕されていればよい。具体的には、セメント焼成用の固形燃料バーナーは通常内径が６０ｍｍから１００ｍｍのパイプであり、最大５０ｍｍ程度のものまでをセメント焼成炉に吹き込むことができるため、平均粒径４０ｍｍ以下に破砕されていれば十分であるが、油泥Ｏとの混合性、更には粒径別の燃焼試験の結果、高い燃焼効率を確保することを考慮すれば、平均粒径を３０ｍｍ以下とすることがより望ましいことがわかった。一方、平均粒径を３ｍｍ未満にしても燃焼効果の目立った向上はみられないことが判明し、また、これ以上細かくすることは破砕効率を低下させる。特に平均粒径を０．１ｍｍ未満とすると、粉塵爆発の危険性が高くなることから、平均粒径は０．１ｍｍ以上とすることが安全上望ましいことがわかった。すなわち、平均粒径０．１ｍｍ以上４０ｍｍ以下に破砕されていればよく、平均粒径３ｍｍ以上３０ｍｍ以下に破砕されていれば更によい。
【００２１】
上記破砕された合成樹脂発泡体Ｗｃと混合する油泥Ｏとしては、オイルスラッジ（例えば、重油スラッジ、原油スラッジ等）、廃油再生残渣（廃油を蒸留設備等を用いて再生した後に残る残渣）、廃塗料、廃インク、廃溶剤、グリース、廃植物油、廃食用油、廃グリセリン、脱水有機汚泥等の油性物質の一種以上を含むものが挙げられる。上記の中でも、オイルスラッジおよび廃油再生残渣は、分子量の大きな炭化水素を主成分とし、粘稠性が高く、固形分が分離し易いため、従来は燃料としての取り扱いが困難で、焼却または埋め立てにより処分されていたものであり、廃棄物の利用促進の観点から、本発明において好ましく用いられる。
【００２２】
上記合成樹脂発泡体の破砕物Ｗｃと油泥Ｏとの混合割合は、合成樹脂発泡体の破砕物１００重量部に対し、油泥５０〜４００重量部が好ましい。これは、油泥の配合量が５０重量部に満たない場合は、廃棄油泥の利用促進の観点から好ましくない。また、油泥の配合量が４００重量部を超えると、得られる固体燃料の粒子表面に多くの油が残留し、その付着性を改善することが困難であるために好ましくない。かかる観点から、油泥の配合割合は、合成樹脂発泡体の破砕物１００重量部に対し、５０〜４００重量部が好ましい。なお、油泥Ｏと混合する上記吸収材としての作用を果たす合成樹脂発泡体の破砕物Ｗｃ以外に、廃畳の破砕物、木材チップ（例えば、建設廃木材の破砕物）、木粉、おが屑等を合成樹脂発泡体の破砕物Ｗｃと共に油泥Ｏと混合することとしてもよい。但し、この場合には、合成樹脂発泡体の破砕物Ｗｃと他の吸収材である廃畳の破砕物、木材チップ等の合計１００重量部に対し、油泥を上記割合で混合することとする。
【００２３】
上記合成樹脂発泡体の破砕物Ｗｃと油泥Ｏとの混合する混合機８としては、例えばオムニミキサ、ナウタミキサ、Ｖ型ミキサ、二軸ミキサなどを用いればよいが、好ましくは、混合機としては、単に攪拌羽根が設けられているものではなく、強いせん断力が発生する構造のものがよい。これは、油泥Ｏのような粘稠性の高い材料と、合成樹脂発泡体の破砕物Ｗｃのようなかさ密度の低い材料と良好に混合できると共に、容器の一部に油泥Ｏが溜まることがないために好ましい。このような混合機としては、アイリッヒ社製のインテンシブルミキサー、太平洋機工社製のＨＦコーンミキサー等が挙げられる。
【００２４】
本発明においては、上記フロン或いはフロン類似物質を含有する合成樹脂発泡体Ｗの破砕時、及び該破砕した合成樹脂発泡体Ｗｃと油泥Ｏとの混合時等の固体燃料ＷＯの製造時に発生するフロン或いはフロン類似物質を破砕機６及び混合機８から吸引し、該吸引ガスを集塵装置１１を介してセメント焼成用の燃焼空気としてロータリーキルン１に導入している。そのため、破砕機６及び混合機８はセメント焼成設備の近傍に設置されている必要がある。また、ロータリーキルン１への吸引ガスの導入位置は、具体的には、ロータリーキルン１の窯前に設置されたクリンカクーラ４の第１室４ａ、或いは第２室４ｂより導入させる。
【００２５】
これは、クリンカクーラ４の空気室は、ロータリーキルン１に近い方の空気室より順次第１室４ａ、第２室４ｂ、第３室４ｃ・・と称されており、第１室４ａ、第２室４ｂの空気室に導入された空気は燃焼空気としてロータリーキルン１に供給されるが、第３室４ｃ以降の空気室に導入された空気は図示していない仮焼炉、石炭ミル等に供給される可能性があるためである。そのため、クリンカクーラ４の第１室４ａ、或いは第２室４ｂに冷却空気を導入する吸気ブロアー５ａ或いは５ｂに（図示の実施の形態では、吸気ブロアー５ａに）、破砕機６に連通する配管が集塵装置１１を介して接続されている。また、集塵装置１１により集塵されたガス中の固形分は供給装置７に戻される。なお、また、集塵装置１１の排気は、集塵装置１１に付属しているファンの圧力により、クリンカクーラ４の第１室４ａ、或いは第２室４ｂに直接導入してもよい。
【００２６】
また、フロン或いはフロン類似物質は、破砕後或いは混合後にも合成樹脂発泡体から徐々に放出される虞があるため、フロン或いはフロン類似物質の大気中への放出を完全に防止する観点から、本発明においては、図示した実施の形態の如く、合成樹脂発泡体の破砕物Ｗｃの供給装置７、更には製造した固体燃料ＷＯを貯留し、ロータリーキルン１へ供給する供給設備９にも、吸気ブロアー５ａに連通する配管をそれぞれ接続し、貯留時、搬送時等の供給時に合成樹脂発泡体の破砕物Ｗｃ等から発生するフロン或いはフロン類似物質を供給装置７、および供給設備９から吸引し、該吸引ガスをセメント焼成用の燃焼空気としてロータリーキルン１に導入する構成とした。
【００２７】
セメント焼成用の燃焼空気としてロータリーキルン１に導入されたフロン或いはフロン類似物質は、１５００℃以上の高温に曝されることとなり、確実に分解処理される。そして、その際に生じる有害な塩化水素（ＨＣｌ）、フッ化水素（ＨＦ）等はセメント原料と反応してセメント原料中に取り込まれるため、他に何らの特別な処理を施すことなく無害化処理される。
【００２８】
また、本発明においては、上記破砕した合成樹脂発泡体Ｗｃと油泥Ｏとの混合物である固体燃料ＷＯは、セメント焼成用の補助燃料としてロータリーキルン１に投入される。この際、破砕した合成樹脂発泡体Ｗｃと油泥Ｏとの混合物からなる固体燃料ＷＯは、油泥Ｏが破砕された合成樹脂発泡体Ｗｃに吸収されてそのハンドリング性が大幅に改善されていると共に、油泥Ｏおよび合成樹脂発泡体Ｗが備えた高いエネルギーを有する固体燃料となる。そのため、固体燃料ＷＯのロータリーキルン１への投入は、図示したように、供給設備９から定量的に固体燃料ＷＯを切り出し、該固体燃料ＷＯを搬送ブロワー１０によってバーナー２に補助燃料として空気圧送することができる。
【００２９】
補助燃料としてロータリーキルン１に投入された固体燃料ＷＯ中の合成樹脂発泡体の破砕物Ｗｃに残存するフロン或いはフロン類似物質は、１５００℃以上の高温に曝され確実に分解処理されると共に、油泥Ｏ及び合成樹脂発泡体Ｗは燃焼し、その熱エネルギーがセメント焼成に有効に利用されることとなる。
【００３０】
以上、本発明に係るフロン或いはフロン類似物質を含有する合成樹脂発泡体の処理方法の好適な実施の形態を説明したが、本発明は、何ら既述の実施の形態に限定させるものではなく、特許請求の範囲に記載した本発明の技術的思想の範囲内において、種々の変形および変更が可能であることは当然である。
【図面の簡単な説明】
【００３１】
【図１】本発明を実現する固体燃料の製造設備、およびその固体燃料を使用するセメント焼成設備の一実施の形態を概念的に示した図である。
【符号の説明】
【００３２】
１    ロータリーキルン
２    バーナー
３    フード
４    クリンカクーラ
４ａ，４ｂ，４ｃ・・  クリンカクーラの第１室，第２室，第３室・・
５ａ，５ｂ，５ｃ・・  吸気ブロアー
６    破砕機
７    供給装置
８    混合機
９    供給設備
１０  搬送ブロアー
１１  集塵装置
Ｗ    フロン或いはフロン類似物質を含有する合成樹脂発泡体
Ｗｃ  合成樹脂発泡体の破砕物
Ｏ    油泥
ＷＯ  固体燃料
【図１】
2010089978.tif 000003